(57)【要約】【課題】表示ユニットの取り付けや取り出しを簡単かつ迅速に行う。【解決手段】表示ユニット３に引出し用治具６の操作体８を挿入する孔５を形成する。表示ユニット３は筐体２に取付けられた状態では、筐体側に設けた係止機構１０の係止部材１０ａが表示ユニット側に形成した溝１１に係止する。これにより、表示ユニットは筐体に固定される。そして、引出し用治具６の操作体８を孔５に挿入すると、操作体の先端部によって係止部材１０ａが筐体内に押し込まれ、係止状態が解除される。また、操作部の中間部に形成した弾性部８ａが孔から抜け出たときに膨らみ、引出し用治具６を表示ユニット３に係止する。この状態で引出し用治具６を引き抜くことで表示ユニットが一体に引き抜かれ、取り出される。また、表示ユニットを取付ける場合も引出し用治具６を使用して取り出し時と逆の操作によって取り付ける。【選択図】      図５
2006178069.tif 000002
【特許請求の範囲】
【請求項１】
前面に映像や文字情報等を表示する複数の表示素子を縦横に配置するとともに引出し用の孔を形成した表示ユニットと；
この表示ユニットを前方へ取り出し可能に複数配置した筐体と；
前記各表示ユニットを前記筐体に個々に係止する係止機構と；
を具備してなることを特徴とする表示装置。
【請求項２】
前面に映像や文字情報等を表示する複数の表示素子を縦横に配置するとともに引出し用の孔を形成した表示ユニットと、この表示ユニットを前方へ取り出し可能に複数配置した筐体と、前記各表示ユニットを前記筐体に個々に係止する係止機構を備えた表示装置と；
前記表示ユニットの前面に形成した孔に操作体を挿入し、この操作体で前記係止機構による表示ユニットの係止状態を解除し、かつ、その操作体で表示ユニットを係止して前記筐体から前方に引き出す引出し用治具と；
を具備してなることを特徴とする表示システム。
【請求項３】
前面に映像や文字情報等を表示する複数の表示素子を縦横に配置するとともに引出し用の孔を形成した表示ユニットと；
この表示ユニットを前方へ取り出し可能に複数配置した筐体と；
前記各表示ユニットを前記筐体に個々に係止する係止機構と；
引出し用の孔内に設けた、少なくともこの引出し用の孔を形成した表示ユニットの電源をオフするスイッチ機構と；
を具備してなることを特徴とする表示装置。
【請求項４】
前面に映像や文字情報等を表示する複数の表示素子を縦横に配置するとともに引出し用の孔を形成した表示ユニットと、この表示ユニットを前方へ取り出し可能に複数配置した筐体と、前記各表示ユニットを前記筐体に個々に係止する係止機構と、引出し用の孔内に設けた、少なくともこの引出し用の孔を形成した表示ユニットの電源をオフするスイッチ機構を備えた表示装置と；
前記表示ユニットの前面に形成した孔に操作体を挿入し、この操作体で前記係止機構による表示ユニットの係止状態を解除するとともに前記スイッチ機構をオフ動作し、かつ、前記操作体で表示ユニットを係止して前記筐体から前方に引き出す引出し用治具と；
を具備してなることを特徴とする表示システム。
【請求項５】
前面に映像や文字情報等を表示する複数の表示素子を縦横に配置するとともに前記表示素子の上下に遮光用のルーバーを配置した表示ユニットと；
この表示ユニットを前方へ取り出し可能に複数配置した筐体と；
前記各表示ユニットの所定のルーバーを操作することで該当する表示ユニットの前記筐体への係止及び係止解除を行う係止機構と；
を具備してなることを特徴とする表示装置。
【請求項６】
前面に映像や文字情報等を表示する表示ユニットと；
この表示ユニットを前方へ取り出し可能に複数配置した筐体と；
前記各表示ユニットを前記筐体に個々に係止する係止機構と；
を具備し、
前記係止機構は、
前記各表示ユニットの後部に取り付けられた係止部材と；
前記筐体の前部の上下方向に長孔を形成するとともにこの長孔に沿って弾性部材を配置し、前記係止部材の先端部をこの長孔の下端部に挿入し、この挿入した先端部を前記弾性部材の弾性力に抗して上へスライドして保持する係止部材保持部と；
からなることを特徴とする表示装置。
【発明の詳細な説明】
【技術分野】
【０００１】
本発明は、表示装置及びこの表示装置を使用した表示システムに関する。
【背景技術】
【０００２】
従来、表示素子としてＬＥＤを使用し、このＬＥＤを多数配置したＬＥＤユニットを複数、基台に固定し、このような基台を複数、表示装置本体に取り付けた表示装置において、複数のＬＥＤユニットを固定パネルにビスで固定し、この固定パネルにナットを介して把持具を螺合装着させ、そして、把持具を把持しながら固定パネルを本体のフレームにビスによって固定することで複数のＬＥＤユニットを装置本体の前面に取り付け、ＬＥＤユニットのメンテナンス作業を行う場合は、前面のカバーを取り外した後、該当するＬＥＤユニットが固定された固定パネルに把持具を螺合装着した後、固定パネルを固定しているビスを外してから把持具を把持した状態で固定パネルを引き出すものが知られている（例えば、特許文献１参照）。
【特許文献１】特開平７−５８２３号公報（段落「００１８」、「００１９」等）
【発明の開示】
【発明が解決しようとする課題】
【０００３】
しかし、このように、複数のＬＥＤユニットを固定パネルにビスによって固定し、また、固定パネルも本体のフレームにビスによって固定したのでは、メンテナンス作業や故障したＬＥＤユニットの交換などのためにＬＥＤユニットを取り出すのに手間がかかり、迅速な作業ができないという問題があった。
【０００４】
そこで、本発明は、表示ユニットを筐体に対して係止させることで固定し、係止状態を解除させることで表示ユニットの取り出しが可能になり、表示ユニットの取り付けや取り出しが簡単かつ迅速にできる表示装置及び表示システムを提供する。
【課題を解決するための手段】
【０００５】
本発明は、前面に映像や文字情報等を表示する複数の表示素子を縦横に配置するとともに引出し用の孔を形成した表示ユニットと、この表示ユニットを前方へ取り出し可能に複数配置した筐体と、各表示ユニットを筐体に個々に係止する係止機構とを具備した表示装置にある。従って、係止機構による係止を解除するのみで表示ユニットは取り出しが可能になる。
【０００６】
また、本発明は、さらに、表示ユニットの前面に形成した孔に操作体を挿入し、この操作体で係止機構による表示ユニットの係止状態を解除し、かつ、その操作体で表示ユニットを係止して筐体から前方に引き出す引出し用治具を具備した表示システムにある。従って、引出し用治具を表示ユニットの前面に形成した孔に挿入することで、表示ユニットを取り出すことができる。
【０００７】
また、本発明は、前面に映像や文字情報等を表示する複数の表示素子を縦横に配置するとともに引出し用の孔を形成した表示ユニットと、この表示ユニットを前方へ取り出し可能に複数配置した筐体と、各表示ユニットを筐体に個々に係止する係止機構と、引出し用の孔内に設けた、少なくともこの引出し用の孔を形成した表示ユニットの電源をオフするスイッチ機構とを具備した表示装置にある。従って、係止機構による係止を解除するのみで表示ユニットは取り出しが可能になり、また、スイッチ機構を動作させることで少なくとも該当する表示ユニットの電源をオフさせることが可能になる。
【０００８】
また、本発明は、さらに、表示ユニットの前面に形成した孔に操作体を挿入し、この操作体で係止機構による表示ユニットの係止状態を解除するとともにスイッチ機構をオフ動作し、かつ、操作体で表示ユニットを係止して筐体から前方に引き出す引出し用治具を具備した表示システムにある。従って、引出し用治具を表示ユニットの前面に形成した孔に挿入することで、表示ユニットを取り出すことができ、しかも、スイッチ機構をオフ動作して少なくとも該当する表示ユニットの電源をオフさせることができる。
【０００９】
また、本発明は、前面に映像や文字情報等を表示する複数の表示素子を縦横に配置するとともに表示素子の上下に遮光用のルーバーを配置した表示ユニットと、この表示ユニットを前方へ取り出し可能に複数配置した筐体と、各表示ユニットの所定のルーバーを操作することで該当する表示ユニットの筐体への係止及び係止解除を行う係止機構とを具備した表示装置にある。従って、所定のルーバーを操作するのみで表示ユニットを取り出すことができる。
【００１０】
また、本発明は、前面に映像や文字情報等を表示する表示ユニットと、この表示ユニットを前方へ取り出し可能に複数配置した筐体と、各表示ユニットを筐体に個々に係止する係止機構とを具備し、係止機構は、各表示ユニットの後部に取り付けられた係止部材と、筐体の前部の上下方向に長孔を形成するとともにこの長孔に沿って弾性部材を配置し、係止部材の先端部をこの長孔の下端部に挿入し、この挿入した先端部を弾性部材の弾性力に抗して上へスライドして保持する係止部材保持部とからなる表示装置にある。従って、表示ユニットに取付けられている係止部材を係止部材保持部の下方にスライドさせることでこの表示ユニットを筐体から取り出すことができる。
【発明の効果】
【００１１】
本発明によれば、表示ユニットを筐体に対して係止させることで固定し、係止状態を解除させることで表示ユニットの取り出しが可能になり、表示ユニットの取り付けや取り出しが簡単かつ迅速にできる表示装置及び表示システムを提供できる。
【００１２】
また、本発明によれば、さらに、スイッチ機構を動作させることで少なくとも該当する表示ユニットの電源をオフさせることが可能になり、例えば、故障している表示ユニットを交換する場合に、装置を表示動作させて交換する表示ユニットを確認しながら交換作業ができ、しかも交換中は表示ユニットへの電源をオフさせることができる表示装置及び表示システムを提供できる。
【発明を実施するための最良の形態】
【００１３】
以下、本発明の実施の形態を、図面を参照して説明する。  
（第１の実施の形態）
図１は表示装置１の表面構成を示し、筐体２に、例えば、縦４×横４＝１６個の表示ユニット３を取付けて映像や文字情報等の表示を行う１つの表示装置１を構成している。
【００１４】
前記各表示ユニット３は、図２に示すように、表示素子として、多数のＬＥＤ４を縦横に配置している。例えば、前記ＬＥＤ４を６ｍｍ間隔で、縦２４×横３２の計７６８個配置して１つの表示ユニット３を構成している。また、前記各表示ユニット３の左側上下、右側上下の、ＬＥＤ４によって囲まれた４箇所のスペースに引出し用の孔５を形成している。
【００１５】
前記各孔５には、図３及び図４に示す構成の引出し用治具６を挿入するようになっている。すなわち、前記引出し用治具６は、基板７の下面四隅に前記各孔５に挿入される４本の棒状の操作体８を取付け、前記基板７の上面中央に把手体９を取付けている。前記操作体８は弾性部材からなり、その中間部に膨らみを持った弾性部８ａを形成している。すなわち、前記弾性部８ａは、内部が空洞の操作体８の一部を縦方向に複数に分割するとともに外側に膨らみを持った形状になっている。従って、前記操作体８を前記孔５に挿入することで弾性部８ａが圧縮され、その弾性部８ａが表示ユニット３の裏側で孔５から抜け出たときに元の膨らみ形状に戻ることで引出し用治具６が表示ユニット３に係止される。
【００１６】
前記表示ユニット３は、図５に示すように、ＬＥＤ４を配置した表示パネル部３ａと、この表示パネル部３ａの後部に形成された、この表示パネル部３ａよりも周面が小さい制御回路収納部３ｂからなり、前記表示パネル部３ａの周囲をフランジ状に形成し、このフランジ部位に前記各孔５が貫通して抜け出る構成になっている。
【００１７】
前記表示ユニット３の制御回路収納部３ｂの側面に溝１１を形成している。この溝１１は前記表示ユニット３を筐体２に取付けたときに、筐体側に設けた係止機構１０の係止部材１０ａが係止する溝になっている。前記係止機構１０は、バネ力によって前記係止部材１０ａを押圧しその先端部を前記溝１１に係止するもので、前記表示ユニット３の孔５の位置に対応して１つの表示ユニットに付き４ヶ所に設けている。また、前記制御回路収納部３ｂの側面の、前記各孔５の１つに対応した位置にマイクロスイッチ１２の押圧ボタン１２ａを突出させ、前記操作体８の挿入によって押圧される構成になっている。
【００１８】
前記表示装置１は、電源として、例えば図６に示すスイッチングレギュレータ１３を備え、このスイッチングレギュレータ１３から各表示ユニット３の各ＬＥＤ４に直流電圧を供給する構成になっている。前記スイッチングレギュレータ１３は商用交流電源１４に接続し、この交流電源１４からの交流を直流電圧に変換して出力するものである。前記スイッチングレギュレータ１３は、また、各表示ユニット３に配置されている前記マイクロスイッチ１２の直列回路を接続している。この直列回路はスイッチングレギュレータ１３の動作を制御する回路で、複数のマイクロスイッチ１２のうちの１つでもオフすると、各表示ユニット３の各ＬＥＤ４への直流電圧の供給を停止するようになっている。
【００１９】
このような構成においては、各表示ユニット３が筐体２に取付けられて収まっている状態では、図７に示すように、各表示ユニット３は筐体２に設けた係止機構１０の係止部材１０ａによって係止され固定されている。この状態では表示装置１は全ての表示ユニット３のＬＥＤ４によって映像や文字情報等の表示を行う。
【００２０】
そして、表示ユニット３に故障が生じたときは、その表示ユニット３のＬＥＤ４が消灯するようになるので、表示装置１を表示状態にしておくことで故障した表示ユニット３を容易に見つけることができる。そこで、表示装置１を表示している状態で図５の(a)に示すように、引出し用治具６の把手体９を手につかんで故障している表示ユニット３の４つの孔５に操作体８を挿入する。
【００２１】
引出し用治具６の操作体８が孔５に挿入し終わると、図５の(b)に示すように、操作体８の先端部によって係止機構１０の係止部材１０ａがバネ力に抗して筐体２内に押し込まれ、係止部材１０ａの先端部が溝１１から離脱される。これにより、該当する表示ユニット３の筐体２に対する係止状態が解除される。
【００２２】
また、操作部８によってマイクロスイッチ１２の押圧ボタン１２ａが押し込まれ、マイクロスイッチ１２がオフされる。これにより、スイッチングレギュレータ１３からの直流電圧の出力が停止され、表示装置１の全体のＬＥＤ４が消灯する。また、操作部８の弾性部８ａが孔４から抜け出たところで元の状態に戻り膨らむ。これにより、該当する表示ユニット３は引出し用治具６に係止される。
【００２３】
この状態で、引出し用治具６の把手体９をつかんで引き抜くと、図５の(c)に示すように、該当する表示ユニット３が引出し用治具６と一体になって前方へ引き抜かれる。このとき、マイクロスイッチ１２の押圧ボタン１２ａは操作部８によって押圧された状態が継続されるので、スイッチングレギュレータ１３からの直流電圧の出力停止状態は維持される。
【００２４】
このように、引出し用治具６の操作体８を表示ユニット３の孔５に挿入するのみで、表示ユニット３の筐体２に対する係止状態が解除されて表示ユニット３を取り出すことができ、表示ユニットの取り出しが簡単かつ迅速にできる。また、引出し用治具６の操作体８を挿入することでスイッチングレギュレータ１３からの直流電圧の出力を停止できるので、表示ユニット３を取り出す前は表示装置１を点灯させて故障した表示ユニット３の位置を容易に確認することができ、また、確認した後は表示ユニット３に対して引出し用治具６の操作体８を挿入して表示装置１を消灯させた状態で故障した表示ユニット３を取り出すことができる。このように、故障した表示ユニットの位置確認が容易にできるとともに表示ユニットの取り出し作業を電源を停止させた状態で安全にできる。
【００２５】
次に、取り出した表示ユニット３を新しい表示ユニット３と交換するために新しい表示ユニット３の孔５に別の引出し用治具６の操作体８を挿入し、取り出した表示ユニット３に接続されていたコードを新しい表示ユニット３に接続し直す。そして、表示装置１の表示ユニット３を取り出した位置に新しい表示ユニット３を挿入する。これにより、図５の(b)に示す状態になる。
【００２６】
この状態で、表示ユニット３の端部を手等で抑えて引出し用治具６の操作体８を孔５から引き抜く。すなわち、操作体８の弾性部８ａが孔４によって圧縮され操作体８が孔５から抜かれる。これにより、係止機構１０の係止部材１０ａの先端部が表示ユニット３の溝１１に入り込んで係止される。また、マイクロスイッチ１２の押圧ボタン１２ａの押圧状態が解除され、マイクロスイッチ１２がオンされ、スイッチングレギュレータ１３から直流電圧が出力するようになる。こうして、表示装置１は再び表示状態に戻る。  
このように、引出し用治具６に新たな表示ユニット３を取付けて筐体２の該当する位置に表示ユニット３を挿入してから引出し用治具６を引き抜くことで表示ユニット３の筐体２への取付けが簡単かつ迅速にできる。  
なお、係止機構と引出し用治具との構成及びその動作の関係はこの実施の形態に限定されないのは勿論である。また、この実施の形態では表示ユニットの取り出し時に表示装置全体の電源となるスイッチングレギュレータの出力を停止するものについて述べたがこれに限定するものではなく、取り出しの対象となる表示ユニットへの電源供給のみを停止させるものであってもよい。
【００２７】
（第２の実施の形態）
図８は表示装置２１の全体構成を示し、筐体２２に、例えば、縦３×横３＝９個の表示ユニット２３を取付けて映像や文字情報等の表示を行う１つの表示装置２１を構成している。前記各表示ユニット２３は、後部両側に凹部２３ａ，２３ｂを形成し、この凹部２３ａ，２３ｂを前記筐体２２内に形成した突出部２２ａ，２２ｂに勘合させて取付けるようになっている。
【００２８】
前記各表示ユニット２３は、図９に示すように、表示素子として、多数のＬＥＤ２４を縦横に配置している。そして、ＬＥＤ２４の横列の最上位列の上及び各列間にそれぞれ太陽光などの外光が各ＬＥＤ２４に直接照射するのを防ぐルーバー２５を配置している。前記ルーバー２５のうち、中央部にある所定のルーバー２５ａを前記表示ユニット２３内に出し入れ自在に構成している。
【００２９】
すなわち、前記所定のルーバー２５ａの後部に位置する表示ユニット２３内には、図１０及び図１１に示すように、この表示ユニット２３を前記筐体２２に係止する係止機構２６を配置している。前記係止機構２６は、前記ルーバー２５ａの後端中央部に第１支点２７を支持した支持部材２８を取付けている。そして、前記第１支点２７に１対のレバー２９，３０の一端を回動自在に取付け、その他端側を左右に延出している。
【００３０】
そして、一方のレバー２９の先端を一方の第２支点３１に回動自在に取付け、他方のレバー３０の先端を他方の第２支点３２に回転自在に取付け、前記第２支点３１に係止部材３３の一端を回動自在に取付け、前記第２支点３２に係止部材３４の一端を回動自在に取り付けている。
【００３１】
前記係止機構２６は、図１０に示すように、ルーバー２５ａが図中矢印で示すように前方に引き出されている状態では第１支点２７も矢印方向に移動するため、各第２支点３１，３２はそれぞれ中央部に向かって移動し、その結果、各係止部材３４，３５の他端が前記突出部２２ａ，２２ｂから外れた位置に位置決めされる。また、図１１に示すように、ルーバー２５ａが図中矢印で示すように表示ユニット２３内に押し込まれている状態では第１支点２７も矢印方向に移動するため、各第２支点３１，３２はそれぞれ左右両側に移動し、その結果、各係止部材３４，３５の他端が前記筐体２２の突出部２２ａ，２２ｂ内に入り込んで係止状態になる。なお、係止部材３４，３５としては、棒状のものであっても、板状のものであってもよい。
【００３２】
このような構成においては、各表示ユニット２３が筐体２２内に勘合して収まっている状態では、図１１に示すように、所定のルーバー２５ａは表示ユニット２３内に押し込まれた状態になっており、係止機構２６の各係止部材３４，３５の先端が筐体２２の突出部２２ａ，２２ｂ内に入り込んで係止状態を維持している。従って、この状態では各表示ユニット２３は筐体２２内に固定され、表示装置２１は全体のＬＥＤ２４を使用して映像や文字情報等の表示を行う。
【００３３】
そして、交換やメンテナンスのために表示ユニット２３を筐体２２から取り出す場合は、該当する表示ユニット２３の所定のルーバー２５ａを指で摘んで引き出す。これにより、係止機構２６の係止部材３４，３５が中央部に移動し、その先端が突出部２２ａ，２２ｂから抜け出る。すなわち、表示ユニット２３の係止状態が解除される。これにより、表示ユニット２３は筐体２２から取り出すことができる。このように、ルーバー２５ａの操作によって表示ユニット２３を筐体２２から簡単、かつ迅速に取り出すことができる。
【００３４】
また、表示ユニット２３を筐体２２に取付けるときには、所定のルーバー２５ａが引き出されている状態で表示ユニット２３を筐体２２に嵌合させる。そして、所定のルーバー２５ａを指で摘んで押し込む。これにより、係止機構２６の係止部材３４，３５が両側に移動し、その先端が突出部２２ａ，２２ｂ内に入り込む。すなわち、表示ユニット２３が筐体２２に係止される。これにより、表示ユニット２３は筐体２２に固定される。このように、ルーバー２５ａの操作によって表示ユニット２３を筐体２２に簡単、かつ迅速に取付けることができる。  
なお、係止機構とルーバーとの構成及びその動作の関係はこの実施の形態に限定されないのは勿論である。
【００３５】
（第３の実施の形態）
図１２は表示装置４１の全体構成を示し、筐体４２に、例えば、上下２つの表示ユニット４３１，４３２を取付けて映像や文字情報等の表示を行う１つの表示装置４１を構成している。前記各表示ユニット４３１，４３２は、後部上方に係止部材４４１，４４２を取付け、この係止部材４４１，４４２を前記筐体４２に設けた係止部材保持部４５１，４５２により保持することで前記筐体４２に取付けられる。
【００３６】
上側の前記表示ユニット４３１は、図１３に示すように、後部上方にＴ字形状の前記係止部材４４１を取付け、また、その部位に上方に向かって前方側に斜傾した傾斜部４６を形成している。  
前記筐体４２に設けた係止部材保持部４５１は、前記係止部材４４１と対向する部位に上下方向の長孔４７を形成し、この長孔４７の下端部を前記係止部材４４１の先端部を挿入できるように大径の円形孔４７ａに形成している。そして、前記長孔４７の背面側に板バネなどの弾性部材４８を長孔４７に沿ってその両側に配置している。前記弾性部材４８は円形孔４７ａを設けた下端部で弾性力が最も弱く、上方に移動するに従って徐々に強くなり、長孔４７の上端部において最も弾性力が強くなるように湾曲させた形状になっている。
【００３７】
なお、ここでは上側の表示ユニット４３１と筐体４２との関係について述べたが、下側の表示ユニット４３２と筐体４２との関係も同じである。すなわち、係止部材４４２の構成、傾斜部４６を形成した構成及び係止部材保持部４５２の構成は同じである。  
前記下側の表示ユニット４３２が上側の表示ユニット４３１と異なる点は、底部に断面Ｌ字形の係止部４３２ａを形成した点である。これに対応して前記筐体４２の底部に段差部４２ａを形成している。そして、下側の表示ユニット４３２の係止部４３２ａを筐体４２の段差部４２ａに嵌め込み、係止部４３２ａの底部からねじ４９を螺着して前記下側の表示ユニット４３２を前記筐体４２に固定するようにしている。
【００３８】
このような構成においては、筐体４２に各表示ユニット４３１，４３２を取付けるときは、先ず、上側の表示ユニット４３１の係止部材４４１の先端部を筐体４２の係止部材保持部４５１の長孔４７の円形孔４７ａに挿入する。このとき、傾斜部４６を使用してこの傾斜部４６を筐体４２に押し付けるようにして係止部材４４１の先端部を円形孔４７ａに挿入する。
【００３９】
そして、傾斜部４６を筐体４２に押し付けた状態で表示ユニット４３１を上方へ押し上げる。係止部材４４１の先端部が長孔４７の上端部に達すると、傾斜部４６を筐体４２から離すように表示ユニット４３１を反時計方向に回動し、表示ユニット４３１の背面全体を筐体４２の前面に押し付ける。
【００４０】
次に、下側の表示ユニット４３２の係止部材４４２の先端部を筐体４２の係止部材保持部４５２の長孔４７の円形孔４７ａに挿入し、同様にして傾斜部４６を使用しながら表示ユニット４３２を上方へ押し上げる。係止部材４４２の先端部が長孔４７の上端部に達すると、傾斜部４６を筐体４２から離すように表示ユニット４３２を反時計方向に回動し、表示ユニット４３２の背面全体を筐体４２の前面に押し付ける。このとき、表示ユニット４３２の係止部４３２ａが筐体４２の段差部４２ａに嵌まり込む。そして、最後に、係止部４３２ａの底部からねじ４９を螺着して表示ユニット４３２を前記筐体４２に固定する。これにより、各表示ユニット４３１，４３２は筐体４２に確実に固定される。  
このようにして、筐体４２に対して表示ユニット４３１，４３２を簡単、かつ迅速に取付けることができる。
【００４１】
筐体４２から表示ユニット４３１，４３２を取り出すときには、先ず、係止部４３２ａのねじ４９を外す。そして、下側の表示ユニット４３２の下部を時計方向に回動して傾斜部４６を筐体４２に押し付け、この状態で表示ユニット４３２を下方へ移動させる。これにより、係止部材４４１も長孔４７の下端部へ移動する。そして、係止部材４４１の先端部を下端部の円形孔４７ａから抜くようにして表示ユニット４３２を筐体４２から離脱させる。
【００４２】
続いて、上側の表示ユニット４３１を取り出すが、同様に、表示ユニット４３１の下部を時計方向に回動して傾斜部４６を筐体４２に押し付け、この状態で表示ユニット４３１を下方へ移動させ、係止部材４４１を長孔４７の下端部へ移動させる。そして、係止部材４４１の先端部を下端部の円形孔４７ａから抜くようにして表示ユニット４３１を筐体４２から離脱させる。  
このようにして、筐体４２から表示ユニット４３１，４３２を簡単、かつ迅速に取り出すことができる。
【００４３】
また、上側の表示ユニット４３１のみを取り出すときには、下側の表示ユニット４３２を若干下にずらせた状態で表示ユニット４３１の下部を時計方向に回動して傾斜部４６を筐体４２に押し付け、この状態で表示ユニット４３１を下方へ移動させ、係止部材４４１の先端部を下端部の円形孔４７ａから抜くようにして表示ユニット４３１を筐体４２から離脱させる。  
このように、下側の表示ユニット４３２を離脱させること無く、上側の表示ユニット４３１のみを筐体４２から離脱させることができる。これにより、表示ユニットの交換作業も簡単、かつ迅速に行うことができる。
【００４４】
なお、ここでは上下２段の表示ユニットからなる表示装置について述べたがこれに限定するものではなく、上下３段以上からなる表示装置であっても、さらに、左右にも複数配置した表示装置であってもよい。
【図面の簡単な説明】
【００４５】
【図１】本発明の第１の実施の形態に係る表示装置の表面構成を示す図。
【図２】同実施の形態における表示ユニットの表面構成を示す図。
【図３】同実施の形態における引出し用治具を上から見た平面図。
【図４】同実施の形態における引出し用治具を横から見た側面図。
【図５】同実施の形態における表示ユニットの取り出し、取付けを説明するための図。
【図６】同実施の形態における表示装置の電源の構成を示すブロック図。
【図７】同実施の形態の表示装置における表示ユニットの固定状態を示す部分拡大図。
【図８】本発明の第２の実施の形態に係る表示装置の構成を示す斜視図。
【図９】同実施の形態における表示ユニット構成を示す図で、(a)は表面から見た構成を示す図、(b)は側面から見た構成を示す図。
【図１０】同実施の形態における表示ユニット内に組み込まれた係止機構の引出し時の状態を示す図。
【図１１】同実施の形態における表示ユニット内に組み込まれた係止機構の係止時の状態を示す図。
【図１２】本発明の第３の実施の形態に係る表示装置の要部構成を示す概略図。
【図１３】同実施の形態における表示ユニットの筐体への取付け部の構成を示す部分拡大図。
【符号の説明】
【００４６】
１…表示装置、２…筐体、３…表示ユニット、４…ＬＥＤ、５…引出し用の孔、６…引出し用治具、８…操作体、１０…係止機構、１２…マイクロスイッチ、１３…スイッチングレギュレータ。
【図１】
2006178069.tif 000003
【図２】
2006178069.tif 000004
【図３】
2006178069.tif 000005
【図４】
2006178069.tif 000006
【図５】
2006178069.tif 000007
【図６】
2006178069.tif 000008
【図７】
2006178069.tif 000009
【図８】
2006178069.tif 000010
【図９】
2006178069.tif 000011
【図１０】
2006178069.tif 000012
【図１１】
2006178069.tif 000013
【図１２】
2006178069.tif 000014
【図１３】
2006178069.tif 000015